(57)【要約】【課題】  視認性や操作性に優れているとともに、製造も容易で安定した品質を有し、製造コストも廉価な釣竿用発光体とする。【解決手段】  少なくとも透光性と可撓性とを有する合成樹脂製で断面が馬蹄形の容器本体２の内側外周面２１を釣竿６への挟持部２２とするとともに容器本体２の外側外周面２３に長さ方向に延びる膨出部２４が突設されてその内側部分に筒状の空所２５が形成されており、混合したときに化学発光を生じる２液の内の１液が容器本体２内に収容されているとともに前記混合したときに化学発光を生じる２液の内のもう１液を封入した円筒状アンプル５が空所２５に収容されるものとした。【選択図】      図２
2006121941.tif 000002
【特許請求の範囲】
【請求項１】
少なくとも透光性と可撓性とを有する合成樹脂製で断面が馬蹄形の容器本体の内側外周面を釣竿への挟持部とするとともに容器本体の外側外周面に長さ方向に延びる膨出部が突設されてその内側部分に筒状の空所が形成されており、混合したときに化学発光を生じる２液の内の１液が前記容器本体内に収容されているとともに前記混合したときに化学発光を生じる２液の内のもう１液を封入した円筒状アンプルが前記空所に収容されていることを特徴とする釣竿用発光体。
【請求項２】
前記内側部分に円筒状アンプルを収容する膨出部が前記容器本体の頂部に形成されている請求項１記載の釣竿用発光体。
【請求項３】
前記内側部分に円筒状アンプルを収容する膨出部が前記容器本体の両遊端部に形成されている請求項１記載の釣竿用発光体。
【請求項４】
前記容器本体の外側外周面に挟持部を覆う断面ほぼＣ形の脱落防止用補助具が取り外し可能に嵌装されている請求項１記載の釣竿用発光体。
【発明の詳細な説明】
【技術分野】
【０００１】
本発明は、釣竿の竿先に嵌着される釣竿用発光体に関するものである。
【背景技術】
【０００２】
従来、夜間における釣りにおいて、魚が針に掛かったことや掛かった魚を引き揚げるタイミングを得るための手段として化学発光体を用いたものが知られており、例えば実開平６−１３００１号公報に提示されている。この釣竿用発光体は、断面形状が馬蹄形となるように中心部に到達する深さの溝を長さ方向に沿って設けた容器内に、混合したときに化学発光を生じる２液の内の１液ともう１液を封入した円筒状アンプルとを収容したものであり、前記馬蹄形の溝を利用することにより竿先に取り外し可能に嵌着させるものである。
【０００３】
ところが前記公報に提示されている釣竿用発光体は、容器本体の直径が釣竿の直径に比べて大きく且つ容器本体容器本体の先端部および後端部が竿先から立ち上がった状態になるため、キャスティングなどにより糸（ライン）を送り出した際に糸が絡んでしまうという問題がある。
【０００４】
そこで、これらの問題を解決した釣竿用発光体が特開２００３−２５０４１２号公報に提示されている。
【０００５】
この、公報に提示されている釣竿用発光体１は図７に示すように、容器本体２の長さ方向に沿った下端縁側には釣竿６の竿先を挟込み可能な円弧状断面の装着溝が備えられており、前記容器本体２の先端部および後端部を略流線形に形成したものである。
【０００６】
従って、先端側や後端側からの糸の絡みは少なくなるが、竿先に取り付けたときに発光部が釣竿の頂面から突出した状態で装着されることになり、発光部が全体として釣竿から突出下状態であることから糸絡みを確実に防止することができないばかりか、バランスが悪く操作性がよくないとともに、基本的に竿の頂面よりも上方において発光することになり、釣竿の角度によっては視認しにくいという問題がある。
【０００７】
そこで、これらの問題を有していない釣竿用発光体として図８に示したようなものが知られている。
【０００８】
この釣竿用発光体１は、全体が馬蹄形の筒形の容器本体２内に混合したときに化学発光を生じる２液体の内の一方の液体３ともう一方の液体４を封入したガラス製の円筒状アンプル５を収容したものであり、馬蹄形の筒形の容器本体２の全体が発光するばかりか殆どの部分が釣竿６の周囲に位置することになり、視認性に優れているとともに糸も絡みにくく、また、操作性の点でも問題がない。
【０００９】
しかしながら、図８に示した従来の釣竿用発光体１は、薄形で安定しているとともに操作性、視認性に優れている反面、馬蹄形の筒形の容器本体２の厚みを少なくしている。
【００１０】
そのため、容器本体２に挿入される液体４を封入したガラス製の円筒状アンプル５を太く形成することが困難であり、容器本体２内に収容した一方の液体３に対して充分な液量を確保するには例えば径が１ｍｍ程度である極細の円筒状アンプル５を多数本収容する必要がある。
【００１１】
その結果、使用時に多数の円筒状アンプル５を割って中の液体３と混合する必要が有り、発光に際して手間が掛かるばかりか多数の円筒状アンプル５が割れたか否かを確認しなければならないなど煩わしいばかりか、極細の円筒状アンプル５は製造並びに管理も容易でなく歩止りも悪く、保管や運搬にも注意を要する、等の問題がある。
【００１２】
【特許文献１】実開平６−１３００１号公報
【特許文献２】特開２００３−２５０４１２号公報
【発明の開示】
【発明が解決しようとする課題】
【００１３】
本発明が解決しようとする課題は、視認性や操作性に優れているとともに、製造も容易で安定した品質を有し、製造コストも廉価な釣竿用発光体を提供するものである。
【課題を解決するための手段】
【００１４】
前記課題を解決するため、本発明である釣竿用発光体は、少なくとも透光性と可撓性とを有する合成樹脂製で断面が馬蹄形の容器本体の内側外周面を釣竿への挟持部とするとともに容器本体の外側外周面に長さ方向に延びる膨出部が突設されてその内側部分に筒状の空所が形成されており、混合したときに化学発光を生じる２液の内の１液が前記容器本体内に収容されているとともに前記混合したときに化学発光を生じる２液の内のもう１液を封入した円筒状アンプルが前記空所に収容されていることを特徴とする。
【００１５】
また、前記内側部分に円筒状アンプルを収容する膨出部が前記容器本体の頂部、または両遊端部に形成されているとよく、前記容器本体の外側外周面に挟持部を覆う断面ほぼＣ形の脱落防止用補助具を嵌装した場合には竿先に糸が絡んだままの状態で竿を振っても脱抜する心配がない。
【発明の効果】
【００１６】
本発明によれば、釣竿の先端位置に一操作で簡単に装着および取り外しが可能であるともに、視認性、操作性に優れている。また、構造も複雑でなく極細の円筒状アンプルを必要とせず、生産性にすぐれているとともに取り扱いも容易である。
【発明を実施するための最良の形態】
【００１７】
次に、本発明を実施するための最良の形態について説明する。
【００１８】
図１乃至図３は本発明の好ましい実施の形態を示すものであり、主として、透光性と可撓性とを有する合成樹脂製で断面が馬蹄形であり、例えばシュウ酸誘導体などの反応物質とこの反応物質の反応により励起して発光する蛍光物質を含有する１液３を収容した容器本体２と、前記容器本体２の内部に収容される例えば前記１液３と混合したとき化学的に発光する触媒や過酸化水素を含有するもう１液４を封入したガラス製の筒状アンプル５とから構成される。
【００１９】
容器本体２の内側外周面２１には内径が１．５〜４．３ｍｍ程度の釣竿への挟持部２２が形成されているとともに外側外周面２３には長さ方向に延びる１条の膨出部２４が突設されてその内側部分に形成される筒状の空所２５に前記筒状アンプル５が収容されている。
【００２０】
尚、前記容器本体２は外径がほぼ１０〜１２ｍｍ、長さが３５〜５０ｍｍ程度が好ましく、容器本体２に収容される筒状アンプル５は外径がほぼ２．６〜３．６ｍｍ程度が好ましい。
【００２１】
以上のように構成される釣竿用発光体１は、従来の薄型の釣竿用発光体と異なり、製造並びに取り扱いにくい極細の筒状アンプルを多数用いるものと異なり、１本の筒状アンプル５を用いるだけなので製造も容易で廉価に生産することができる。
【００２２】
そして、本実施の形態は図  に示すように従来のものと同様に、好ましくは発光状態とした後に釣竿６の先端６１に嵌着されて使用される。
【００２３】
本実施の形態についての発光操作は、従来のこの種の発光体と同じであり、容器本体２の全体を撓ませ、或いは屈曲させて、内部に収容されている筒状アンプル５を割って封入してある１液４を容器本体２内に収容した１液３と混合させればよい。
【００２４】
このとき、本実施の形態では、筒状アンプル５は容器本体２の外側外周面２３に形成された長さ方向に延びる膨出部２４の内側部分に形成される筒状の空所２５に収容されている１本であり、多数の筒状アンプルを用いる従来のものに比べて製造が容易で、使用者の手間も掛からず、混合も確実である。
【００２５】
次に、発光させた本実施の形態は図４に示すように釣竿６の竿先６１に装着するが、従来の馬蹄形のものと同様に、容器本体２は可撓性を有するとともに内側外周面２１に形成されている挟持部２２が装着する釣竿６の竿先６１の外径よりも少し小径で、且つ両遊端部２６，２６よりも狭く形成されているので挟持部２２を釣竿６の竿先６１に差し込むだけで釣竿６に装着でき、また、他の釣竿に付け替えたり使用を止める時には容器本体２を釣竿６から抜き取ればよい。
【００２６】
本実施の形態は、釣りをしているときに魚が掛かった際の挙動を表す釣竿６の先端６１を釣竿６の周囲を覆う容器本体２の殆ど全体が発光するので釣竿６の先端６１の中心部分を含めて発光を視認することができるばかりか突出しているのは容器本体２の外側外周面２３に形成された長さ方向に延びる筒状アンプル５を収容するための膨出部２４だけであり、全体として薄いため操作性が損なわれたり、釣糸の絡みにも対応することができる。最も視認し易い釣竿５の頂部も膨出部２４が発光するので更に視認性が向上する。
【００２７】
また、図５は本発明の異なる実施の形態を示すものであり、容器本体２の外側外周２３に挟持部２２を覆う例えば適宜の弾性を有する金属や硬質合成樹脂により形成される断面ほぼＣ形の脱落防止用補助具７が取り外し可能に嵌装されている。
【００２８】
本実施の形態によれば、竿先に糸が絡んだままの状態で竿を振っても脱抜する心配がない。
【００２９】
また、図６は本発明の異なる実施の形態を示すものであり、全体の構成は前記図１乃至図４に示した実施の形態とほぼ同様であるが、容器本体２の外側外周面２３には長さ方向に延びる２条の膨出部２４，２４が突設されてそれらの内側部分に形成される筒状の空所２５，２５に筒状アンプル５，５が収容されている。
【００３０】
本実施の形態では、容器本体２の頂部に２条形成されている膨出部２４，２４の内側部分に２本の筒状アンプル５，５を収容することで、径の小さい筒状アンプル５を用いることができ、膨出部２４，２４も小さく形成することができ、視認性および操作性が更に良好である。反面、使用する筒状アンプル５，５も２本であり、製造も容易で発光操作も２本の筒状アンプル５，５を割れば良く、差ほどの困難性もない。
【００３１】
図７は本発明の更に異なる実施の形態を示すものであり、内側部分に筒状アンプル５，５を収容する膨出部２４，２４が前記容器本体２の両遊端部に形成されている。
【００３２】
本実施の形態によれば、容器本体２の外側外周面２３の殆どが平滑で膨出部がなく、視認、操作性に優れており、更に、釣竿６に装着した際に膨出部２４，２４が抜け止め効果を発揮する。
【００３３】
更に、本実施の形態では。２本の筒状アンプル５，５を容器本体２の両遊端部に離して配置してあるので、これらの筒状アンプル５，５を時間をずらしてそれぞれ発光させることで長時間の使用も可能である。
【図面の簡単な説明】
【００３４】
【図１】本発明の好ましい実施の形態を示す斜視図。
【図２】図１のＡ−Ａ線に沿う拡大断面図。
【図３】図１のＢ−Ｂ線に沿う拡大断面図。
【図４】図１に示した実施の形態の使用状態を示す説明図。
【図５】本発明の異なる実施の形態を示す斜視部分図。
【図６】本発明の異なる実施の形態を示す拡大断面図。
【図７】本発明の異なる実施の形態を示す拡大断面図。
【図８】従来例を示す説明図。
【図９】異なる従来例を示す説明図。
【符号の説明】
【００３５】
１  釣竿用発光体、  ２  容器本体、  ３  液、  ４  液、  ５ 筒状アンプル、  ７  脱落防止用補助具、  ２１  内側外周面、  ２３  外側外周面、  ２４  膨出部、  ２５  空所
【図１】
2006121941.tif 000003
【図２】
2006121941.tif 000004
【図３】
2006121941.tif 000005
【図４】
2006121941.tif 000006
【図５】
2006121941.tif 000007
【図６】
2006121941.tif 000008
【図７】
2006121941.tif 000009
【図８】
2006121941.tif 000010
【図９】
2006121941.tif 000011